(57)【要約】【課題】モニタ１を上方向に移動させることなくモニタ１をモニタ支持台２０から取外すことが可能であり、しかも車両が振動してもモニタ１ががたつくことのないモニタの着脱機構を提供する。【解決手段】モニタ支持台２０に少なくとも一部に円柱面を有する凸部２ａを設け、モニタ１の下部に前記凸部の円柱面と面接触し前記凸部２ａを挿入可能の溝２ａを設け、モニタ１の上部にばね１０の弾力に抗して移動可能なフック機構７ｂを設け、モニタ支持台２０にモニタ１を前記円柱面回りに回動させたときに前記ばね１０の弾力に抗して移動させた後フック機構７ｂに係止される係止部２１ｂを設け、前記凸部２１ａと溝２ａが嵌合し前記フック機構７ｂが前記係止部２１ｂを係止することによりモニタ１を支持するモニタの着脱機構において、前記モニタに設けたばね１３がモニタ支持台２０を押すことにより前記凸部２１ａと溝２ａとを圧接するように構成した。【選択図】        図７
2006282125.tif 000002
【特許請求の範囲】
【請求項１】
モニタの下部またはモニタ支持台の一方に少なくとも一部に円柱面を有する凸部を設け、モニタの下部またはモニタ支持台の他方に前記凸部の円柱面と面接触し前記凸部を挿入可能の溝を設け、モニタの上部またはモニタ支持台の一方にばねの弾力に抗して移動可能なフック機構を設け、モニタの上部またはモニタ支持台の他方にモニタを前記円柱面回りに回動させたときに前記ばねの弾力に抗して前記フック機構を移動させた後前記フック機構に係止される係止部を設け、前記凸部と溝が嵌合し前記フック機構が前記係止部を係止することによりモニタを支持するモニタの着脱機構において、前記モニタまたはモニタ支持台の一方に設けたばねが他方を押すことにより前記凸部と溝とを圧接するように構成したモニタの着脱機構。
【請求項２】
前記ばねが板ばねで形成されている請求項１のモニタの着脱機構。
【発明の詳細な説明】
【技術分野】
【０００１】
この発明はモニタの着脱機構に係わり、特に、車載用電子機器に好適なモニタの着脱機構に関する。
【背景技術】
【０００２】
従来、車載用ナビゲーション装置等を車両のダッシュボードに固定されたモニタ支持台に着脱するモニタの着脱機構が用いられている。特開２００２−１６０５８６号公報に提案されたモニタ取り付け装置はモニタの背面に上下方向に延びるスリット穴（凹み）を有する取り付け板を設け、支持台に設けたフックプレートを前記スリット穴に挿入し、前記フックプレートを取り付けた取り付けシャフトのねじと螺合するレバーと前記フックプレートで前記取り付け板を挾持してモニタを支持台に取り付けている。
【特許文献１】特開２００２−１６０５８６号公報、段落００１２、図１
【発明の開示】
【発明が解決しようとする課題】
【０００３】
上記した特開２００２−１６０５８６号公報に記載されたモニタ取付け装置のモニタの着脱機構によると、フックプレートとスリット穴とを上下方向に摺動させてモニタを取外す。このモニタの着脱機構を車両のダッシュボードに固定した場合、車両のフロントガラスが傾斜しているため、モニタの上部とフロントガラスとの間隔を大きくとれないことがある。この場合はモニタがフロントガラスと干渉してモニタを取外しにくくなるという問題があった。
【０００４】
モニタを上方に移動させることなく、回動させてフック機構により支持台に係止させればフロントグラスと干渉することなくモニタを取り外すことができるが、ねじでモニタを支持台側に締め付けていないので、車両が振動するとモニタががたつきラトル音を発生させるという問題がある。
【０００５】
この発明は上記した点に鑑みてなされたものであって、その目的とするところは、モニタを上方向に移動させることなくモニタをモニタ支持台から取外すことが可能であり、しかも車両が振動してもモニタががたつくことのないモニタの着脱機構を提供することにある。
【課題を解決するための手段】
【０００６】
この発明のモニタの着脱機構は、モニタの下部またはモニタ支持台の一方に少なくとも一部に円柱面を有する凸部を設け、モニタの下部またはモニタ支持台の他方に前記凸部の円柱面と面接触し前記凸部を挿入可能の溝を設け、モニタの上部またはモニタ支持台の一方にばねの弾力に抗して移動可能なフック機構を設け、モニタの上部またはモニタ支持台の他方にモニタを前記円柱面回りに回動させたときに前記ばねの弾力に抗して前記フック機構を移動させた後前記フック機構に係止される係止部を設け、前記凸部と溝が嵌合し前記フック機構が前記係止部を係止することによりモニタを支持するモニタの着脱機構において、前記モニタまたはモニタ支持台の一方に設けたばねが他方を押すことにより前記凸部と溝とを圧接するように構成したものである。
【０００７】
また、前記モニタの着脱機構において、前記ばねが板ばねで形成されているものである。
【発明の効果】
【０００８】
この発明のモニタの着脱機構によれば、モニタを上方向に移動させることなくモニタをモニタ支持台から取外すことが可能であり、モニタ着脱時によモニタが車両のフロントガラスと干渉せず、しかも車両が振動してもモニタががたつくことがない。
【発明を実施するための最良の形態】
【０００９】
以下この発明を実施するための最良の形態を実施例に即して説明する。図１はこの発明の実施例であるモニタの着脱機構に用いられるモニタを示す正面図、図２は同モニタを示す背面面図、図３は同モニタを示す側面図、図４（ａ）は同モニタのフック機構を一部部材を除いて示す正面図、図４（ｂ）は同フック機構のラック・ピニオン押え板を示す正面図、図５は同モニタの着脱機構に用いられるモニタ支持台を示す正面図、図６は同モニタ支持台を示す側面図、図７は同モニタが同モニタ支持台に装着された状態を示す断面図である。
【００１０】
先ず、図１〜図４および図７を参照してモニタ１の構造を説明する。モニタ１は前面が開放された略箱形のモニタフレーム２に支持されている。すなわち、モニタフレーム２の前面開放部を覆うようにディスプレー３がモニタフレーム２に締着され、モニタフレーム２の背面には後述するフック機構５が取り付けられている。
【００１１】
モニタフレーム２の下部に設けられた操作つまみ４、４…はディスプレー３の下部に設けられた図示していないスイッチを作動させる。モニタフレーム２の裏面下部に設けられた溝２ａは底が円筒面に形成されており、図７に示す支持台２０の円筒軸２１ａと嵌合する。
【００１２】
フック機構５を構成するレバー部材６およびフック部材７は図４に示すようにモニタフレーム２のリブ２ｆ、２ｆ…およびモニタフレーム２のボス２ｇ、２ｇ…に丸穴９ａ、９ａ…を挿通するねじ締着されたラック・ピニオン押え板９にガイドされて上下方向摺動可能に支持されている。なお、レバー部材６およびフック部材７はラック・ピニオン押え板９に設けられたダボ９ｄ、９ｄ…で押えられるので摺動の摩擦抵抗が小さくなる。
【００１３】
レバー部材６に設けられたレバー６ｂは図２および図７に示すようにモニタフレーム２の背面の穴２ｂから突出し、レバー部材６に設けられたばね掛け６ｃ、６ｃはラック・ピニオン押え板９の長穴９ｂ、９ｂから突出する。さらに、レバー部材６に設けられたラック６ａはモニタフレーム２に設けられた軸に回転自在に支持されたピニオン８と噛み合う。
【００１４】
フック部材７に設けられたフック７ｂ、７ｂは図２および図７に示すようにモニタフレーム２の背面の穴２ｃ、２ｃから突出し、フック部材７に設けられたばね掛け７ｃ、７ｃはラック・ピニオン押え板９の長穴９ｃ、９ｃから突出する。
【００１５】
さらに、フック部材７に設けられたラック７ａはピニオン８と噛み合う。ばね掛け６ｃ、６ｃとばね掛け７ｃ、７ｃとの間には図７に示すように引張りコイルばね１０、１０が掛けられる。このようにレバー部材６とフック部材７は互いに逆方向に移動するように連動し、引張りコイルばね１０、１０により互いに近付くように付勢されている。モニタフレーム２に締着されたプリント基板１１にはコネクタ１２が半田付けされ、プリント基板１１は図示していないフラットケーブルでディスプレー３に接続されている。
【００１６】
モニタフレーム２下部内側に締着されたＺ形状の板ばね１３はモニタフレーム２の穴２ｄから露出している。また、モニタフレーム２の背面には図２および図７で示すように凹み２ｅが設けられている。
【００１７】
次に、図５〜図７を参照してモニタ支持台２０の構造を説明する。支持台フレーム２１は略箱形の形状をしており、その内部にプリント基板２２がカバー２４で覆われた状態で締着されている。プリント基板２２にはコネクタ２３が半田付けされている。また、図６に示すようにコネクタ２６が外部に露出するように支持台フレーム２１固定され、コネクタ２３とコネクタ２６は接続されている。
【００１８】
支持台フレーム２１はその下部に水平左右方向に延びる円筒形状の円筒軸２１ａが一体に形成されている。また、支持台フレーム２１の中央やや下部には前方に突出する断面四角形状の突起２１ｃが形成され、また、略中央部には前方に突出する断面丸形状の突起２ｄが一体に形成されている。
【００１９】
支持台フレーム２１の上面部には前記したフック７ｂ、７ｂが嵌入する角穴２１ｂ、２１ｂが形成されている。支持台フレーム２１の背面に設けられた溝２１ｅを覆うように支持台フレーム２１に締着された被挾持部材２５には縦長切欠き２５ａが設けられており、この縦長切欠き２５ａに段付き四角板２８の段差部が嵌合する。
【００２０】
支持アーム２７の一端は球面に形成され他端側におねじ２７ａが設けられている。支持アーム２７のおねじ２７ａにナット２９を螺合させ、さらにワッシャ３０を挿通させて支持アーム２７の前記他端に段付き四角板２８の上面が接着または溶接により固着される。ナット２９を締め付けることにより段付き四角板２８とワッシャ３０で被挾持部材２５を挾持させ、支持台フレーム２１に対する支持アーム２７の位置を任意に設定できる。
【００２１】
左支柱３１と右支柱３２を底板３６に締着したベース３５と支持アーム２７の球面部を挟むようにして六角ボルト３３と把手付ナット３４で締め付けることができる。底板３６にはスリットが放射状に設けられており、車両のダッシュボード上面に沿うように変形させて両面テープによりダッシュボード上面に強固に固定できる。
【００２２】
上記構成のモニタの着脱機構の使用方法を説明する。例えば、車載用ナビゲーション装置のモニタに用いる場合はモニタ支持台２０を運転席に向けて両面テープによりダッシュボードに固定する。次に、モニタ１の溝２ａの円筒面がモニタ支持台２０の円筒軸２１ａと当接するようにモニタ１を差し込み円筒軸２１ａ回りに回動するように押し込む。このとき、支持台フレーム２１の突起２１ｄがモニターフレーム２の凹み２ｅに入り込みモニタ１がモニタ支持台２０に対して位置決めされる。
【００２３】
さらに、フック部材７のフック７ｂの上部傾斜面が支持台フレーム２１の縁に押されフック部材７は引っ張りコイルばね１０の弾力に抗して下動した後、元に戻りフック７ｂが支持台フレーム２１の角穴２１ｂに入り込みモニタ１がモニタ支持台２０に装着された状態となる。この状態でディスプー３はフラッケーブル、プリント基板１１、コネクタ１２、コネクタ２３、プリント基板２２およびコネクタ２６等を介して本体機器と接続される。
【００２４】
また、この状態では板ばね１３が突起２１ｃに押され溝２ａの円筒面がモニタ支持台２０の円筒軸２１ａに圧接状態となっているので、車両が上下に振動してもモニタ１が飛び上がった後、溝２ａが円筒軸２１ａに衝突して音を発生することが防止される。
【００２５】
使用状態で、モニタ１の位置・姿勢を調整することができる。すなわち、ナット２９を緩めモニタ１の高さを調整してナット２９を締めてモニタ１の高さを設定し、また、ナット２９を緩めモニタ１の高さを調整してナット２９を締めてモニタ１の高さを設定し、把手付きナット３４を緩めモニタ１の角度を調整して把手付きナット３４を締めてモニタ１の角度を設定できる。すなわち、モニタ１を運転者の正面に向けることができる。
【００２６】
モニタ１をモニタ支持台２０から外すときは、レバー６ｂを上に押すことによりフック部材７を引っ張りコイルばね１０の弾力に抗して下動させてフック７ｂを支持台フレーム２１の角穴２１ｂから出してロック状態を解除し、モニタ１を円筒軸２１ａ回りに回動させてモニタ１を取り外す。このようにモニタ１を上方向に移動させないのでフロトガラスと干渉することがなく、また、円筒軸２１ａの位置を十分に高くしているのでモニタ１を回動させてもモニタ１がダッシュボードや底板３６と干渉しない。モニタ１を取外して携帯することにより盗難が防止される。
【００２７】
実施例は以上のように構成されているが発明はこれに限られず、例えば、板ばねの代わりに捩じりコイルばねにより溝の円筒面を円筒軸に圧接させるようにしてもよい。
【図面の簡単な説明】
【００２８】
【図１】この発明の実施例であるモニタの着脱機構に用いられるモニタを示す正面図である。
【図２】同モニタを示す背面面図である。
【図３】同モニタを示す側面図である。
【図４】図４（ａ）は同モニタのフック機構を一部部材を除いて示す正面図である。図４（ｂ）は同フック機構のラック・ピニオン押え板を示す正面図である。
【図５】同モニタの着脱機構に用いられるモニタ支持台を示す正面図である。
【図６】同モニタ支持台を示す側面図である。
【図７】同モニタが同モニタ支持台に装着された状態を示す断面図である。
【符号の説明】
【００２９】
１  モニタ
２  モニタフレーム、２ａ  溝、２ｂ、２ｃ、２ｄ  穴、２ｅ  凹み、２ｆ  リブ
２ｇ  ボス
３  ディスプレー
４  操作つまみ
５  フック機構
６  レバー部材、６ａ  ラック、６ｂ  レバー、６ｃ  ばね掛け
７  フック部材、７ａ  ラック、７ｂ  フック、７ｃ  ばね掛け
８  ピニオン
９  ラック・ピニオン押え板、９ａ  丸穴、９ｂ、９ｃ  長穴、９ｄ  ダボ
１０  引張りコイルばね
１１  プリント基板
１２  コネクタ
１３  板ばね
２０  モニタ支持台
２１  支持台フレーム、２１ａ  円筒軸、２１ｂ  角穴、２１ｃ、２１ｄ  突起
２１ｅ  溝
２２  プリント基板
２３  コネクタ
２４  カバー
２５  被挾持板、２５ａ  縦長切欠き
２６  コネクタ
２７  支持アーム、２７ａ  おねじ
２８  段付き四角板
２９  ナット
３０  ワッシャ
３１  左支柱
３２  右支柱
３３  六角ボルト
３４  把手付ナット
３５  ベース
３６  底板
【図１】
2006282125.tif 000003
【図２】
2006282125.tif 000004
【図３】
2006282125.tif 000005
【図４】
2006282125.tif 000006
【図５】
2006282125.tif 000007
【図６】
2006282125.tif 000008
【図７】
2006282125.tif 000009